(57)【要約】【課題】贈答品用のインテリアに用いることのできる藍葉を提供することを目的とする。【解決手段】藍葉は、植物の生葉中に含有するインジカンから生成したインジゴによって藍色が発色した葉に、脱色剤で脱色した文字及び／又は図形が描かれており、且つ前記葉内の葉緑素が除去されているものである。【選択図】図２
2016113737.tif 000002
【特許請求の範囲】
【請求項１】
植物の生葉中に含有するインジカンから生成したインジゴによって藍色が発色した葉であって前記葉内の葉緑素が除去されていることを特徴とする藍葉。
【請求項２】
前記藍葉に、脱色剤で脱色した文字及び／又は図形が描かれていることを特徴とする。
【請求項３】
前記生葉が、リュウキュウアイ、タデアイ、ナンバンコマツナギ、キアイ又はタイセイであることを特徴とする請求項１又は２記載の藍葉。
【請求項４】
前記発色が、前記生葉を冷凍した後に、天日に当てることによってなされたことを特徴とする請求項１〜４のいずれか一項の藍葉。
【請求項５】
前記脱色剤が、型糊に次亜塩素酸ナトリウムが２０〜９９％配合された糊剤であることを特徴とする請求項１〜３のいずれいか一項記載の藍葉。
【請求項６】
前記葉緑素の除去が、エタノール又は水とエタノールとの混合液内に前記葉を浸漬して施したことを特徴とする請求項１〜５のいずれか一項記載の藍葉。
【請求項７】
飲食料又はインテリアに請求項１〜６のいずれか一項記載の藍葉が添加されていることを特徴とする飲食料又はインテリア。
【発明の詳細な説明】
【技術分野】
【０００１】  本発明は藍色が発色した葉に文字等が脱色して描かれている藍葉及びその藍葉を含む飲食料又はインテリアに関するものである。
【背景技術】
【０００２】  特開２００３−１９２９３４（以下、特許文献１という）に、「収穫した含藍植物から、葉のみを採取し、新鮮なうちに冷凍庫等で完全に凍結させる。凍結した該葉を解凍させると、該葉は凍結によって組織が損傷を受けているため、融解する過程において、含有されるインジカンが該葉中の酵素と水分の作用で加水分解されてインドキシルとなり、更にインドキシルは空気中の酸素と化合してインジゴが生成される。（特許文献１の第０００５段落）」の記載がある。
【先行技術文献】
【特許文献】
【０００３】
【特許文献１】特開２００５−３３６６３２号公報
【発明の概要】
【発明が解決しようとする課題】
【０００４】  従来はインジカン含有の藍植物は、上述したように藍原料として使用されているが、贈答品用のインテリアには用いられていなかった。ところで、「藍」は「愛」と同一の響きを有するため、藍植物を贈答品用のインテリアに使用できれば、結婚式等の贈答品のインテリアに好適に用いることができる。【０００５】  そこで、本発明は、前記の課題を解決するためになされたもので、贈答品用のインテリアに用いることのできる藍葉、及び藍葉を添加した飲食料又はインテリアを提供することを目的とする。
【課題を解決するための手段】
【０００６】  前記の目的を達成するためになされた、特許請求の範囲の請求項１に記載された藍葉は、植物の生葉中に含有するインジカンから生成したインジゴによって藍色が発色した葉に、脱色剤で脱色した文字及び／又は図形が描かれており、且つ前記葉内の葉緑素が除去されていることを特徴とするものである。【０００７】  請求項２に記載された藍葉は、請求項１に記載されたものであって、前記生葉が、リュウキュウアイ、タデアイ、ナンバンコマツナギ、キアイ又はタイセイであることを特徴とする。【０００８】  請求項３に記載された藍葉は、請求項１又は請求項２に記載されたものであって、前記発色が、前記生葉を冷凍した後に、天日に当てることによってなされたことを特徴とする。【０００９】  請求項４に記された藍葉は、請求項１〜３のいずれか一項に記載されたものであって、前記脱色剤が、型糊に次亜塩素酸ナトリウムが２０〜９９％配合されたものであることを特徴とする。【００１０】  請求項５に記載された藍葉は、請求項１〜４のいずれか一項に記載されたものであって、前記葉緑素の除去が、アルコール又は水とアルコールとの混合液内に前記葉を浸漬して施したことを特徴とする。【００１１】  請求項６に記載された飲食料又はインテリアは、飲食料又はインテリアに請求項１〜５のいずれか一項記載の藍葉が添加されていることを特徴とするものである。
【発明の効果】
【００１２】  本発明の藍葉は、澄んだ青色の地に、文字又は図形が描かれているものであり、且つ「藍」は「愛」と同一の響きを有する。このため、結婚式等の贈答品のインテリアに、「愛」のある文字又は図形が描かれた藍葉を好適に用いることができる。【００１３】  また、本発明の藍葉の青色、文字及び／又は図形は、アルコール飲料や炭酸飲料等の飲料に浸漬しても褪せることがなく、アルコール飲料等の飲料に添加してインテリアとして用いることができる。この藍葉をインテリアとして使用したアルコール飲料等の本発明の飲料は、父の日等の贈答品に採用でき、送られた人に意外性のある面白さを与えることができる。
【図面の簡単な説明】
【００１４】
【図１】  本発明に係る藍葉の製造工程を説明する工程チャートである。
【図２】  本発明に係る藍葉を飲料内に添加した状態を示す正面図である。
【発明を実施するための形態】
【００１５】  本発明で用いる生葉はインジカンを含有するものである。この生葉としては、キツネノマゴ科のリュウキュウアイ、タデ科のタデアイ、マメ科のナンバンコマツナギ、キアイ（インドアイ）又はアブラナ科のタイセイを好適に用いることができる。このような生葉に藍色を発色させる。この発色方法は、採取した生葉を冷凍した後に、天日に当てる方法、生葉を叩いて天日に干す方法、生葉を何等加工することなく天日に干す方法がある。なかでも採取した生葉を冷凍した後に、天日に当てる方法が簡単で確実に発色でき好ましい。かかる発色方法では、生葉中のインジカンが加水分解してインドキシルに変化し、更にインドキシルが空気酸化されて二分子結合しインジゴを生成する。このようにインジゴが生成した葉はくすんだ青色を呈している。
【００１６】  インジゴが生成してくすんだ青色を呈する葉から葉緑素を除去する。この除去方法は、葉緑素含有の葉をエタノール又は水とエタノールとの混合液に葉緑素含有の葉を１週間から１年間浸漬する方法、葉緑素含有の葉を５０℃〜７０℃のエタノールで２０分湯煎する方法がある。湯煎の際には、アルミ箔又は樹脂フィルムで蓋をすることにより、蒸発によるエタノールの減少を防止できる。かかる方法のうち、葉緑素含有の葉を冷蔵庫にて凍らせたのちざるに一枚ずつ広げ天日で３時間から７時間干した後エタノールの入ったガラス瓶の中に１週間から１年間浸漬する方法が簡便に葉の葉緑素を除去でき好ましい  葉緑素を除去した藍葉を乾燥する。この乾燥は、押し花のように紙にはさんでのばし乾燥させると文字が書きやすい平らな葉になる。
【００１７】  インジコが生成し且つ葉緑素が除去された藍葉は、澄んだ青色を呈する。この藍葉の青地に任意の文字及び／又は図形を脱色して描く。脱色は、型糊に次亜塩素酸ナトリウムが２０〜９９％配合された糊剤を用いて行うことが好ましい。この糊剤を藍葉上に手書き又は筒描又は型染で任意の文字及び／又は図形を描き、脱色した後、糊剤を除去する。糊剤の除去は水で洗浄し除去する。
【００１８】  このようにして得られた藍葉には、澄んだ青色の地色に脱色された任意の文字及び／又は図形が描かれている。かかる藍葉の地色を呈するインジゴは、水やアルコールに不溶性であり、且つ文字及び／又は藍葉の地色を白く脱色して描かれている。このため、藍葉の地色、文字及び／又は図形は耐久性に優れており、食品や飲料に添加しても藍葉の地色や文字及び／又は図形が褪せることがない。また、藍葉の地色の「藍」は「愛」と同一の響きを有するため、描かれた文字及び／又は図形と相俟って、結婚式等の贈答品のインテリアに好適に用いることができる。
【００１９】  更に、種々のお祝いの際に、アルコール飲料や清涼飲料が飲まれたり或いは贈答品に提供される。この際に、アルコール飲料や清涼飲料等に耐久性を有し、お祝いに相応しい文字及び／又は図形が青地に描かれた藍葉を、飲料にインテリアとして添加しておくと、意外性のある面白さを与えることができる。例えば、図２に示すように、父の日の贈答品としてのアルコール飲料が充填された透明瓶１２の中に、青地に「お父さんありがとう」の文字を脱色して描いた藍葉１０がインテリアとして挿入することができる。
【実施例】
【００２０】  以下、本発明の実施例を詳細に説明するが、本発明の範囲はこれらの実施例に限定されるものではない。【００２１】採取した新鮮な藍草の生葉をプラスチック製容器に２０まいずつならべて入れ冷凍機器に２４時間以上入れパリパリに凍らせる。（凍結によって組織を損傷させる。）【００２２】パリパリに凍った藍葉を冷凍庫から出し常温でしばらくおいて解凍し、いちまいずつ平らなざるに並べ天日に３時間から７時間干して青黒く発色させる。凍結した該葉を解凍させると、該葉は凍結により組織が損傷を受けているため、融解する過程において、含有されるインジカンが該葉中の酵素と水分の作用で加水分解されてインドキシルとなり、更にインドキシルは空気中の酸素と化合して青いインジゴが生成される【００２３】エタノールを入れたガラス瓶のなかに青黒く発色させた藍葉を入れ１週間から１年つけて葉緑素をとりのぞき澄んだ青色の葉にする（長くつけることにより好みの澄んだ青にする）【００２４】青色になった藍の葉を水で洗浄した後押し花のように厚い紙にはさみ、平らなぴんとしたからからに渇いた文字が書きやすい平らな青色の葉を作る【００２５】型用糊と次亜塩素酸ナトリウムを（型糊）１０対（次亜塩素酸ナトリウム）６  の割合で混ぜよく練った後、筆で藍葉に文字を書き透明な箱に並べて入れ３日から７日間天日に当てて脱色する  葉を裏からすかして見て曇りガラスのように抜けていれば脱色されている【００２６】裏から透かしてみて綺麗に脱色されていない場合は、一度きれいな水で葉についている次亜塩素酸ナトリウムの含まれるのりを洗い流し、もう一度綺麗に脱色されていないところを型用糊と亜鉛酸ナトリウムを  （型糊）１０対（次亜塩素酸ナトリウム）６の割合で混ぜよく練った後、筆で藍葉に前に書いた文字をなぞるように書き透明な箱に並べて入れ３日から９０日間天日に当てて脱色する。【００２７】葉を裏から見て脱色されていることを確認した後、きれいな水で、葉についている次亜塩素酸ナトリウムの含まれるのりをきれいに洗い流し除去する。【００２８】藍葉を９０度の熱湯に３分入れ殺菌した後アルコール飲料の中に入れ完成品とする。【００２９】別の商品として、お客様がご自分で楽しみながら自分で藍葉を脱色し藍のメッセージ付のお酒を作れるセットとして［００２４］で作った藍の葉と小さな容器に入れた脱色剤と型糊と筆とお酒と脱色の説明書をセットにした商品提供も可能である    ［図３］
【産業上の利用可能性】
【００２２】  本発明に係る藍葉は、結婚式等の贈答品のインテリアとして好適に用いることができる。また、贈答用のアルコール飲料や清涼飲料  千枚付け  ケーキ等の食料中に添加できるインテリアとして好適に用いることができる。
【符号の説明】
【００２３】  １０は藍葉、１２は透明瓶である。
【図１】
2016113737.tif 000003
【図２】
2016113737.tif 000004
【図３】
2016113737.tif 000005
【手続補正書】
【提出日】平成27年6月3日(2015.6.3)
【手続補正２】
【補正対象書類名】明細書
【補正対象項目名】００１４
【補正方法】変更
【補正の内容】
【００１４】
【図１】本発明に係る藍葉の製造工程を説明する工程チャートである。
【図２】本発明に係る藍葉を料飲又はインテリアに添加した状態を示す正面図である。
【図３】本発明に係る藍葉の製造工程に必要な材料を説明する図である。